(57)【要約】  本発明は、棚エレメント（１）に関する。この棚エレメントは、少なくとも１つの別の棚エレメント（１）と解離可能に接続するために設けられており、相互に間隔をおいて平行な少なくとも２つのプレートと、この平行なプレートを接続する少なくとも１つのプレートを備え、前記プレートの少なくとも１つは固定プレートであり、該固定プレートは、別の棚エレメント（１）と接続するための少なくとも１つの機構を少なくとも部分的に形成する。本発明の棚エレメント（１）では、別の棚エレメント（１）と接続するための機構がスリット状に構成されている。さらにこの機構は、接続エレメント（２１）を収容するために設けられており、この接続エレメントにより２つの棚エレメント（１）を相互に接続することができる。本発明はさらに、前記棚エレメント（１）を少なくとも２つ含む棚（２０）に関するものであり、棚エレメント（１）は少なくとも１つの接続エレメント（２１）を介して解離可能に相互に固定されている。【選択図】図３
2011504383.tif 000002
【特許請求の範囲】
【請求項１】
少なくとも１つの別の棚エレメントと解離可能に接続するために設けられた棚エレメント（１）であって、相互に間隔をおいて平行な少なくとも２つのプレートと、当該平行なプレートを接続する少なくとも１つのプレートを備え、前記プレートの少なくとも１つは固定プレートであり、該固定プレートは、別の棚エレメントと接続するための少なくとも１つの機構を有し、および／または少なくとも部分的に該機構を形成する棚エレメントにおいて、
前記機構がスリット状に構成されており、接続エレメント（２１）を収容するために設けられていることを特徴とする棚エレメント。
【請求項２】
前記スリット状機構が、前記固定プレート（８）および該固定プレート（８）に対して平行に配置された固定部材（１０）により形成されるスリット（１３）であることを特徴とする請求項１記載の棚エレメント。
【請求項３】
前記固定プレート（８）と前記固定部材（１０）との間には、少なくとも１つのスペースホルダ（９）が配置されていることを特徴とする請求項２記載の棚エレメント。
【請求項４】
前記スペースホルダ（９）が、前記固定プレート（８）と前記固定部材１０）とを相互に接続することを特徴とする請求項３記載の棚エレメント。
【請求項５】
前記固定プレート（８）と前記固定部材（１０）のそれぞれの外側エッジが、相互に面一に終端していることを特徴とする請求項２から４までのいずれか１項記載の棚エレメント。
【請求項６】
前記スリット状機構が、前記固定プレートの少なくとも１つの表面に組み込まれた溝であることを特徴とする請求項１記載の棚エレメント。
【請求項７】
前記溝が、前記固定プレートの幅狭側に組み込まれていることを特徴とする請求項６記載の棚エレメント。
【請求項８】
前記固定プレート（８）が、棚エレメント（１）の裏壁であることを特徴とする請求項１から７までのいずれか１項記載の棚エレメント。
【請求項９】
前記スリット状機構が、前記固定プレート（８）の全周囲にわたって伸長していることを特徴とする請求項１から８までのいずれか１項記載の棚エレメント。
【請求項１０】
請求項１から９までのいずれか１項記載の棚エレメントの少なくとも２つからなる棚（２０、３０）であって、前記棚エレメント（１）が、少なくとも１つの接続エレメント（２１）を介して解離可能に相互に固定されている棚において、
前記接続エレメント（２１）が、形状結合した接続のために、前記スリット状機構の寸法に少なくとも部分的に適合されていることを特徴とする棚。
【請求項１１】
少なくとも１つの接続エレメント（２１）が偏平に構成されており、前記スリット状機構の幅よりも小さい厚さを有することを特徴とする請求項１０記載の棚。
【請求項１２】
少なくとも１つの接続エレメントがホック状に成形されており、ホック（２５）の少なくとも一部分（２６）が偏平に構成されており、かつ前記スリット状機構の幅よりも小さい厚さを有することを特徴とする請求項１０または１１記載の棚。
【請求項１３】
前記棚エレメント（１）が正方形または長方形の棚ボックスであり、該棚ボックスは４つの側壁と１つの裏壁を有することを特徴とする請求項１０から１２までのいずれか１項記載の棚。
【請求項１４】
前記棚エレメント（１）が種々異なる寸法を有することを特徴とする請求項１０から１３までのいずれか１項記載の棚。
【請求項１５】
すべての棚エレメント（１）のスリット状機構が、合同に配置されていることを特徴とする請求項１０から１４までのいずれか１項記載の棚。
【請求項１６】
請求項１から９までのいずれか１項記載の少なくとも１つの棚エレメント（１）および／または請求項１０から１５までのいずれか１項記載の少なくとも１つの棚（２０、３０）を作製するためのパーツキット。
【請求項１７】
請求項１から１５までのいずれか１項記載の棚（２０、３０）の製作方法において、
少なくとも１つの接続エレメント（２１）を、請求項１から９までのいずれか１項記載の少なくとも１つの棚エレメント（１）のスリット状機構に取付け、
次に請求項１から９までのいずれか１項記載の少なくとも１つの別の棚エレメント（１）を、少なくとも１つの接続エレメント（２１）に差し込み、これにより該接続エレメント（２１）が、２つの棚エレメント（１）のスリット状機構に形状結合して係合するようにすることを特徴とする製作方法。
【発明の詳細な説明】
【技術分野】
【０００１】
本発明は、棚エレメントに関する。この棚エレメントは、少なくとも１つの別の棚エレメントと解離可能に接続するために設けられており、相互に間隔をおいて平行な少なくとも２つのプレートと、この平行なプレートを接続する少なくとも１つのプレートを備え、前記プレートの少なくとも１つは固定プレートであり、該固定プレートは、別の棚エレメントと接続するための少なくとも１つの機構を有し、および／または少なくとも部分的に該機構を形成する。本発明はさらに、前記棚エレメントを少なくとも２つ含む棚に関するものであり、ここで棚エレメントは少なくとも１つの接続エレメントを介して解離可能に相互に固定されている。
【背景技術】
【０００２】
個々の棚エレメントから組み立てられる棚は、個々のエレメントの数を自由に選択できることで個性的な形態が可能であるという利点を有する。しかし個々のエレメントが単に並んで積み重ねて設置されるだけであれば、棚全体が不安定であり、個々の棚エレメントは対象物の収納または取り出しの際に相互にずれてしまうことがある。したがって個々のエレメントは通例、相互にねじ留めされるか、または他のやり方で相互に強固に接続される。しかしこのことの欠点は、例えば構造的条件の変更や、変更された必要性に適合するために棚を再構築することが不可能なことである。
【０００３】
したがって、棚の構築、解体および改造を、釘、ネジ等および工具を使用せずに実行できるモジュール構造の棚が必要である。
【０００４】
特許文献１から、例えば箱形状の棚システムが公知である。この棚システムでは個々の箱モジュールが、モジュールのエッジに組み込まれたｚ字状の咬み合い面によって相互に解離可能に接続されている。この咬み合い面には隣接する箱モジュールの傾斜された接触部分が咬み合う。しかしこの棚システムには、同じ外寸を有する箱モジュールしか相互に接続ないし組み合わせることができないという欠点がある。さらに個々のモジュールは長手方向に相互にずれることがあり、そのためモジュールが突き出ることなしに、平坦な正面を作製するのが大きな棚では困難である。
【先行技術文献】
【特許文献】
【０００５】
【特許文献１】欧州特許公開第０４７７１２５号
【発明の概要】
【発明が解決しようとする課題】
【０００６】
本発明の課題は、工具なしで、かつ釘、ネジ等を使用せずに相互に安定して接続でき、フレキシブルに組み合わせることのできる棚エレメントを提供することである。
【課題を解決するための手段】
【０００７】
この課題は本発明により、冒頭に述べた形式の棚エレメントにおいて、別の棚エレメントと接続するための機構がスリット状に構成されていることにより解決される。さらにこの機構は、接続エレメントを収容するために設けられており、この接続エレメントにより２つの棚エレメントを相互に接続ないし相互に固定することができる。接続エレメントを収容するためのスリット状機構によって、本発明の棚エレメントを、他の棚エレメントと安定して、かつフレキシブルに接続することができる。ここで有利には、外寸の種々異なる棚エレメントを１つの棚に相互に接続することもできる。
【０００８】
本発明の有利な実施形態では、スリット状機構は、固定プレートとこの固定プレートに対して平行に配置された固定部材により形成されるスリットである。このような実施形態はコスト的に好都合に作製することができ、種々異なる棚エレメント間を安定して接続することを保証する。さらにこのような実施形態は非常に頑強であり、相応の棚エレメントから組み立てられた棚を、何回も構築、解体および改造しても耐える。スリットの幅を一定に調整するために、固定プレートと固定部材との間に少なくとも１つのスペースホルダを配置することができる。このスペースホルダ(単数または複数)は、これが固定プレートおよび／または固定部材とねじ留め、貼り付け、または接着することによって固定プレートと固定部材とを相互に接続することができる。スペースホルダとして例えば複数の小さな小片または比較的大きなプレートが考えられる。各棚エレメントがコンパクトな視覚的印象を有するようにするため、固定プレートと固定部材のそれぞれの外側エッジは相互に面一に終端すべきである。これによってスリットが貼り合わされ、スリット状機構における接続エレメントの安定性がさらに高まる。
【０００９】
本発明のさらに有利な実施形態ではスリット状機構が、固定プレートの少なくとも１つの表面に組み込まれた溝である。この実施形態はとりわけプレートが比較的厚い場合に実現することができる。なぜならここでは溝をフライス加工することができるからである。プレートが比較的薄い場合、溝を固定プレートの少なくとも１つの幅狭側に組み込むべきである。これにより溝の深さが十分であることが保証され、接続エレメントは、安定した接続を確保するために溝に十分に深く係合することができる。
【００１０】
本発明のとりわけ有利な実施形態では、固定プレートが棚エレメントの裏壁である。このようにして一方では棚エレメント間の安定した接続が可能であり、他方では棚エレメントまたは棚の視覚的印象が損なわれない。なぜならスリット状機構が棚エレメントの正面、とりわけ外側縁部においては可視でないからである。
【００１１】
棚エレメントをとりわけフレキシブルに使用することができ、ないしは相互に組み合わせることができるようにするため、本発明により好ましくは、スリット状機構が固定プレートの全周囲にわたって伸長する。
【００１２】
さらにこの課題は本発明によれば、冒頭に述べた形式の棚において、接続エレメントが形状結合して接続するために、スリット状機構の寸法に少なくとも部分的に適合されていることによって解決される。接続エレメントとスリット状機構との間で形状結合した接続を形成することにより、棚エレメントが相互に安定して固定される。さらに接続エレメントを固定プレートのスリット状機構に簡単に固定できるので、個々の棚エレメントを工具なしでフレキシブルに、多機能に使用可能な棚に組み合わせることができる。
【００１３】
本発明の有利な実施形態では、少なくとも１つの接続エレメントが偏平に構成されており、スリット状機構の幅よりも小さい厚さを有する。これにより形状結合した接続が簡単かつ安価に可能となる。
【００１４】
本発明の別の実施形態では、少なくとも１つの接続エレメントがホック状に成形されており、ホックの少なくとも一部分が偏平に構成されており、スリット状機構の幅よりも小さい厚さを有する。このようなホック状エレメントは、すでに説明した接続エレメントに加えて、例えば棚を壁に固定するのに有利である。
【００１５】
棚エレメントは例えば正方形または長方形の棚ボックスとすることができ、この棚ボックスは４つの側壁と１つの裏壁を有する。このような棚ボックスはそれ自体、棚のいずれの個所にも配置または取り付けることのできる１つの完全な棚エレメントである。このような棚ボックスまたは棚モジュールから組み立てられた棚は、非常に多様に構成することができ、したがって種々異なる必要性および要求ないし実状に適合することができる。棚ボックスには例えば扉エレメントを設けることもできる。
【００１６】
個々の棚エレメントは、種々異なる寸法を有することもできる。本発明の構成により、およびこの構成により規定される棚エレメントの多様な組合せが可能であることから、個々のエレメントの寸法は重要ではない。接続エレメントは種々異なる個所に配置することができるから、種々異なる大きさの棚エレメントを組み合わせることも有利には可能である。ここで棚エレメントは好ましくは意図した機能、例えば本、ＣＤ、ＤＶＤ、ファイル等の収容に適合される。種々異なる棚エレメントを組み合わせることによって、多機能の棚を形成することができる。
【００１７】
本発明の棚の統一的な視覚的印象および構造が、とりわけすべての棚エレメントのスリット状機構が合同に配置されている場合に得られる。
【００１８】
本発明は、少なくとも１つの本発明の棚エレメントおよび／または少なくとも１つの本発明の棚を作製するためのパーツキットも含む。このようなパーツキットは好ましくは、１つまたは複数の棚エレメントの組立てに必要なすべての部品を含む。すなわち例えば、固定プレートと固定部材を含むすべてのプレートを含む。さらに有利には、十分な数の、および場合により形状の異なる接続エレメントを、本発明の１つのパーツキットに含めることができる。
【００１９】
本発明はさらに、少なくとも１つ本発明の棚の製作方法に関する。この製作方法では、少なくとも１つの接続エレメントが、本発明の少なくとも１つの棚エレメントのスリット状機構に取り付けられ、次に少なくとも１つの別の本発明の棚エレメントが少なくとも１つの接続エレメントに差し込まれる。これにより接続エレメントは２つの棚エレメントのスリット状機構に形状結合して係合する。したがって本発明の方法によって、棚エレメントが迅速かつ簡単に、多様に相互に組み合わされ１つの棚になることができる。
【００２０】
本発明の棚エレメントのための材料として、例えば木材、とりわけ中密度木質繊維板（ＭＤＦボード）、プラスチックおよび／または金属を選択することができる。しかし基本的に他のいずれの材料も使用することができる。
【００２１】
本発明を以下に、図面に基づき詳細に説明する。
【図面の簡単な説明】
【００２２】
【図１】本発明の棚エレメントの実施形態の展開図である。
【図２】図１の棚エレメントの側面図である。
【図３】４つの本発明の棚エレメントからなる本発明の棚の組立ての流れを示す図である。
【図４】ホック状の接続エレメントを備える、図１の本発明の棚エレメントを示す図である。
【図５】本発明の棚エレメントの実施形態の斜視図である。
【発明を実施するための形態】
【００２３】
図１と図２は、本発明の棚エレメント１の実施形態を示す。棚エレメント１は相互に離間した平行な２つのプレート３、４を有し、これらのプレートは同様に平行に配置された２つのプレート５、６およびこれに対して垂直に配置されたプレート７を介して相互に接続されている。したがって棚エレメント１は、４つの側壁と１つの裏壁からなる長方形の棚ボックスである。この実施形態では固定プレート８として用いられるプレート７は、プレート状のスペースホルダ９を介して同様にプレート状の固定部材１０と接続されている。ここに図示した例示的実施形態では、固定部材１０がスペースホルダ９とともにネジ１１、１２によって固定プレート８にねじ留めされている。しかし択一的に、固定部材１０、スペースホルダ９および固定プレート８を相互に貼り付け、接着し、または他の方法で接続することもできる。固定部材１０は、この例示的実施形態では、その外側エッジがプレート３、４、５、６の外側エッジと面一に終端しており、したがって正面から見ることができない。したがってこの場合、固定部材１０は固定プレート８よりも大きい。しかし棚エレメントの構造に応じて、固定部材と固定プレートは同じ寸法を有することもできる。スペースホルダ９は、固定部材１０および固定プレート８より小さいから、棚エレメント１は周回するスリット１３を有し、このスリットは接続エレメントを収容するための機構として設けられている。本発明の棚エレメントを、このようなスリットに差し込まれた接続エレメントによって接続することを、図３の基づいて詳細に説明する。
【００２４】
図３は、４つの本発明の棚エレメントからなる本発明の棚２０の組立ての流れを示す。ここで４つの棚エレメントには、簡単にするため図１および図２と同じようにすべてに同じ参照符合１が付してある。まず棚エレメント１に、偏平でプレート状の２つの接続エレメント２１が設けられる。接続エレメント２１はこの目的のために、図２のスリット１３に相当する、棚エレメント１のスリット状機構に差し込まれる（図３ａ）。接続エレメント２１は、これがスリットに形状結合して係合し、そこで安定して固定され得るように成形され、寸法設定されている。ここで接続エレメント２１は、その大きさのためスリットから突き出る。そして接続エレメント２１の突き出た部分には別の棚エレメント１を差し込むことができる。ここでそれぞれのスリット状機構は個々の接続エレメントに合同に配置されている。したがって接続エレメント２１は、隣接する２つの棚エレメントのスリット状機構にそれぞれ係合する（図３ｂ）。この方法ステップは、完全な棚２０が組み立てられるまで繰り返すことができる（図３ｃと図３ｄ）。ここでは図示の例示的実施形態のように、種々異なって寸法設定された棚エレメントも問題なしに相互に組み合わせることができる。接続エレメント２１と、これを収容するために設けられたスリット状機構によって、本発明の棚エレメント１は安定的に、かつフレキシブルに接続され、本発明の棚２０となることができる。本発明のさらなる利点は、接続エレメントを工具なしで取り付けることができ、さらに組み立てられて完成した棚では接続エレメントが見えないことである。接続エレメント２１は好ましくは木材、金属、またはプラスチックからなる。
【００２５】
図４は、ホック状の接続エレメントを備える、図１の本発明の棚エレメントを示す。ホック２５は、例えば壁に固定することができる。各ホック２５の比較的に短い部分２６は、棚エレメント１のスリット１３に係合できるように構成されている（図４ａ）。とりわけ各ホック２５のこの部分２６の材料厚はスリット１３の幅よりもやや小さく、これによりホック２５はスリット１３に形状結合して係合することができる。ホック２５が棚エレメント１の寸法に対応して壁等に固定されていれば、棚エレメント１を矢印２７に沿ってホック２５に差し込むことができる。このときホックの部分２６がスリット１３に係合する（図４ｂ）。このようにして個々の棚エレメントまたは完全な棚を、壁等に固定することができる。ホック２５は好ましくは金属製である。
【００２６】
図５は、本発明の棚３０の例示的実施形態を示す。棚３０は、多数の本発明の棚エレメント１からなり、棚エレメントは一部でその形状または寸法が異なっている。本発明の棚エレメントはまた非常に多様に相互に組み合わせることができ、後からの改造および／または拡張も問題なく簡単に可能である。
【符号の説明】
【００２７】
１  棚エレメント
３  プレート
４  プレート
５  プレート
６  プレート
７  プレート
８  固定プレート
９  スペースホルダ
１０  固定部材
１１  ねじ
１２  ねじ
１３  スリット
２０  棚
２１  接続エレメント
２５  ホック
２６  部分
２７  矢印
３０  棚
【図１】
2011504383.tif 000003
【図２】
2011504383.tif 000004
【図３ａ）】
2011504383.tif 000005
【図３ｂ）】
2011504383.tif 000006
【図３ｃ）】
2011504383.tif 000007
【図３ｄ）】
2011504383.tif 000008
【図４ａ）】
2011504383.tif 000009
【図４ｂ）】
2011504383.tif 000010
【図５】
2011504383.tif 000011
【国際調査報告】
2011504383.tif 000012
2011504383.tif 000013
2011504383.tif 000014
2011504383.tif 000015